(57)【特許請求の範囲】
【請求項１】
被写体を撮像する撮像手段と、前記撮像手段により撮像した画像を記憶する画像記憶手段と、
前記画像記憶手段に記憶した画像の転送の可否に関する転送情報を記憶する転送情報記憶手段と、
転送情報登録処理時に、前記転送情報記憶手段に対して転送または非転送の転送情報を各撮像画像毎に選択、登録するとともに、転送情報登録処理が行われない場合には撮像された各画像に転送の転送情報を付加する付加手段と、
前記転送情報記憶手段に記憶されている前記転送情報に対応して、前記画像記憶手段に記憶されている前記画像の外部機器への転送を制御する制御手段と
を備えることを特徴とするデジタルスチルカメラ。
【請求項２】
前記画像記憶手段に記憶されている画像を読み出すとき、前記転送情報記憶手段に記憶されている、読み出す画像に対応する前記転送情報を読み出す転送情報読み出し手段をさらに備えることを特徴とする請求項１に記載のデジタルスチルカメラ。
【請求項３】
前記画像記憶手段に記憶されている画像の前記外部機器への転送の履歴を記憶する履歴記憶手段をさらに備えることを特徴とする請求項１または２に記載のデジタルスチルカメラ。
【請求項４】
前記画像記憶手段に記憶されている画像を読み出すとき、前記履歴記憶手段に記憶されている、読み出す画像に対応する前記履歴を読み出す履歴読み出し手段をさらに備えることを特徴とする請求項３に記載のデジタルスチルカメラ。
【請求項５】
撮像した画像を記憶媒体に記憶するデジタルスチルカメラの画像転送方法において、被写体を撮像し、前記撮像した画像を記憶し、該画像の記憶とともに前記記憶した画像の転送可能を示す転送情報を付加し、付加された前記転送情報を記憶し、付加された前記転送情報を変更し、画像転送時における前記記憶されている前記転送情報に対応して、前記記憶されている画像の外部機器への転送の可否を制御することを特徴とする画像転送方法。
【発明の詳細な説明】
【０００１】
【発明の属する技術分野】
本発明は、デジタルスチルカメラおよび画像転送方法、並びに記録媒体に関し、特に、撮像した画像のうちの任意の画像を、簡単に外部機器に転送することができるようにした、デジタルスチルカメラおよび画像転送方法、並びに記録媒体に関する。
【０００２】
【従来の技術】
最近、デジタルスチルカメラが普及しつつある。このデジタルスチルカメラにおいては、被写体の画像がフラッシュメモリなどの記憶媒体に、デジタル的に記憶される。従って、このフラッシュメモリに記憶した画像を読み出して、ＬＣＤ(Liquid Crystal Display)などに表示して楽しむことができるばかりでなく、例えば、パーソナルコンピュータなどにおいて、これを取り込み、編集加工処理することが可能である。
【０００３】
【発明が解決しようとする課題】
ところで、従来のデジタルスチルカメラは、フラッシュメモリに記憶した画像をパーソナルコンピュータに転送する場合、例えば、フラッシュメモリに５０枚の画像が記憶されているとき、この５０枚の全ての画像が、一括して転送されてしまい、任意の複数の数の画像だけを転送することができない課題があった。その結果、例えば、５０枚の画像を撮像し、これを既にパーソナルコンピュータに転送した後、さらに４０枚の画像を撮像したような場合において、新たに撮像した４０枚の画像だけをパーソナルコンピュータに転送することができず、結局、合計９０枚の画像を、再度パーソナルコンピュータに一括して転送し、パーソナルコンピュータ側において既に処理した５０枚を除く４０枚を選択しなければならない課題があった。
【０００４】
本発明はこのような状況に鑑みてなされたものであり、任意の複数の画像を選択して、外部機器に転送することができるようにするものである。
【０００５】
【課題を解決するための手段】
請求項１に記載のデジタルスチルカメラは、被写体を撮像する撮像手段と、前記撮像手段により撮像した画像を記憶する画像記憶手段と、前記画像記憶手段に記憶した画像の転送の可否に関する転送情報を記憶する転送情報記憶手段と、転送情報登録処理時に、前記転送情報記憶手段に対して転送または非転送の転送情報を各撮像画像毎に選択、登録するとともに、転送情報登録処理が行われない場合には撮像された各画像に転送の転送情報を付加する付加手段と、前記転送情報記憶手段に記憶されている前記転送情報に対応して、前記画像記憶手段に記憶されている前記画像の外部機器への転送を制御する制御手段とを備えることを特徴とする。
【０００６】
このデジタルスチルカメラには、画像記憶手段に記憶されている画像を読み出すとき、転送情報記憶手段に記憶されている、読み出す画像に対応する転送情報を読み出す転送情報読み出し手段をさらに設けることができる。また、画像記憶手段に記憶されている画像の外部機器への転送の履歴を記憶する履歴記憶手段をさらに設けることができる。さらにまた、画像記憶手段に記憶されている画像を読み出すとき、履歴記憶手段に記憶されている、読み出す画像に対応する履歴を読み出す履歴読み出し手段を設けることができる。
【０００７】
請求項５に記載の画像転送方法は、撮像した画像を記憶媒体に記憶するデジタルスチルカメラの画像転送方法において、被写体を撮像し、前記撮像した画像を記憶し、該画像の記憶とともに前記記憶した画像の転送可能を示す転送情報を付加し、付加された前記転送情報を記憶し、付加された前記転送情報を変更し、画像転送時における前記記憶されている前記転送情報に対応して、前記記憶されている画像の外部機器への転送の可否を制御することを特徴とする。
【０００９】
請求項１に記載のデジタルスチルカメラ、請求項５に記載の画像転送方法においては、記憶した画像の転送に関する転送情報が付加され、この転送情報に対応して、画像の外部機器への転送が制御される。従って、任意の画像だけを外部機器に転送することが可能となる。
【００１０】
【発明の実施の形態】
図１は、本発明のデジタルスチルカメラの構成例を示すブロック図である。このデジタルスチルカメラは、基本的に、レンズブロック４１と、接続部４３を介してレンズブロック４１と接続されているカメラ本体４２とにより構成されている。レンズブロック４１においては、撮影レンズ１が図示せぬ被写体から取り込んだ光をＣＣＤ(Charge Coupled Device)２に結像するようになされている。ＣＣＤ２（撮像手段）は、撮影レンズ１（撮像手段）より入射された光を光電変換し、アンプ３を介してＡ／Ｄ変換回路４に出力し、Ａ／Ｄ変換させた後、接続部４３の端子３１からカメラ本体４２に出力するようになされている。駆動回路５は、接続部４３の端子３２を介して、カメラ本体４２から制御信号が入力されると、ＣＣＤ２を駆動するようになされている。
【００１１】
カメラ本体４２側においては、接続部４３の端子３１を介して、Ａ／Ｄ変換回路４からの画像信号がタイミングジェネレータ１２に供給されるようになされている。タイミングジェネレータ１２は、端子３２を介して、駆動回路５を制御し、ＣＣＤ２を駆動するようになされている。タイミングジェネレータ１２はまた、Ａ／Ｄ変換回路４より供給された画像データを、ＤＲＡＭ(Dynamic Random Access Memory)１３に書き込むようになされている。このようにして、ＤＲＡＭ１３に書き込まれるＣＣＤ２からの画像データは、黄色（Ｙｅ）、シアン（Ｃｙ）、緑（Ｇｒ）の色成分を有している。
【００１２】
ＤＲＡＭ１３に書き込まれた画像データは、圧縮／伸張回路１５により圧縮され、フラッシュメモリ１４（画像記憶手段）に書き込まれるようになされている。また、ＤＲＡＭ１３に記憶された画像データは、そこから読み出され、シグナルジェネレータ１６に供給され、ホワイトバランス調整が行われた後、色演算処理が行われ、輝度信号Ｙ、色差信号Ｒ−Ｙ，Ｂ−Ｙが生成され、ＶＲＡＭ(Video Random Access Memory)１７に記憶されるようになされている。シグナルジェネレータ１６はまた、ＶＲＡＭ１７に記憶された画像データを読み出し、Ｄ／Ａ変換回路１８に出力し、Ｄ／Ａ変換させた後、アンプ１９を介して、ＬＣＤ２０に出力し、表示させるようになされている。また、アンプ１９より出力されたアナログビデオ信号は、図示せぬ外部装置にも出力されるようになされている。
【００１３】
ＣＰＵ(Central Processing Unit)２１は、ＲＯＭ(Read Only Memory)２２に記憶されているプログラムに従って、各種の処理を実行するようになされている。ＲＡＭ(Random Access Memory)２３は、ＣＰＵ２１が各種の処理を実行する上において必要なデータなどを適宜記憶する。キー入力部２４は、各種のキーやボタンなどにより構成され、ＣＰＵ２１に各種の指令を入力するとき操作される。Ｉ／Ｏポート２５は、ＣＰＵ２１と外部機器としてのパーソナルコンピュータ３１との間におけるシリアルデータの入出力のインタフェース処理を実行するようになされている。
【００１４】
図２は、キー入力部２４の構成例を表している。再生ボタン６１は、再生モードを設定するとき操作され、記録ボタン６２は、記録モードを設定するとき操作される。また、アップダウンキー６３は、例えば、再生モードにおいて表示されている画像を、他の画像に変更するとき操作される。ディスプレイボタン６４は、ＬＣＤ２０に、所定の文字などを表示させたり、既に表示されている文字を消去させたりするとき操作される。モードボタン６５は、ＬＣＤ２０に所定のメニューを表示させるとき、あるいは、表示されているメニューを消去するとき操作される。レリーズボタン６６は、画像を記録するとき操作される。
【００１５】
次に、その動作について説明する。記録ボタン６２が操作され、記録モードが設定されているとき、ＣＰＵ２１は、タイミングジェネレータ１２を制御し、被写体を撮像させる。タイミングジェネレータ１２は、ＣＰＵ２１から撮像が指令されたとき、端子３２を介して、駆動回路５を駆動し、ＣＣＤ２に画像データを取り込ませる。このＣＣＤ２には、使用者が被写体に向けて撮像した画像が、撮影レンズ１を介して結像している。従って、ＣＣＤ２を駆動回路５で駆動することにより、ＣＣＤ２により光電変換された画像信号が、アンプ３を介して、Ａ／Ｄ変換回路４に入力される。Ａ／Ｄ変換回路４は、入力された画像信号をＡ／Ｄ変換し、端子３１を介してタイミングジェネレータ１２に供給する。
【００１６】
タイミングジェネレータ１２は、入力された画像データ（Ｙｅ，Ｃｙ，Ｇｒ）をＤＲＡＭ１３に一旦記憶させる。ＣＰＵ２１は、ＤＲＡＭ１３に一旦記憶された画像データを読み出し、シグナルジェネレータ１６に供給する。シグナルジェネレータ１６は、この画像データのホワイトバランスを調整するとともに、エンコード処理して、ビデオデータ（Ｙ，Ｒ−Ｙ，Ｂ−Ｙ）を生成し、ＶＲＡＭ１７に一旦記憶させる。シグナルジェネレータ１６は、ＶＲＡＭ１７に描画したビデオデータを読み出して、Ｄ／Ａ変換回路１８に供給する。Ｄ／Ａ変換回路１８は、このビデオデータをＤ／Ａ変換し、アンプ１９を介して、ＬＣＤ２０に出力し、表示させる。このようにして、ＬＣＤ２０には、使用者が撮影レンズ１を介してモニタしている画像が表示される。使用者は、このＬＣＤ２０の画像を見て、被写体を確認することができる。
【００１７】
なお、以上のようにして、ＬＣＤ２０に表示するためのビデオデータの生成は、簡単に行われる。すなわち、例えば、ＤＲＡＭ１３に記憶された画像データのうち、例えばＹｅ成分のみを用いて、輝度データと色差データが生成される。これにより、ＬＣＤ２０に対して、撮影レンズ１で撮像した時々刻々と変化する画像（モニタする画像）を、迅速に更新し、表示することが可能となる。
【００１８】
一方、キー入力部２４のレリーズボタン６６を操作して記録を指令すると、ＣＰＵ２１は、ＤＲＡＭ１３に記憶されている画像データをシグナルジェネレータ１６に供給し、Ｙｅ成分、Ｃｙ成分、およびＧｒ成分の全てを用いて、より正確にビデオデータ（Ｙ，Ｒ−Ｙ，Ｂ−Ｙ）を生成（エンコード）させる。さらに、ＣＰＵ２１は、このビデオデータを圧縮／伸張回路１５に供給し、例えばＪＰＥＧ(Joint Photographic Experts Group)方式で圧縮処理を実行させる。圧縮されたビデオデータは、フラッシュメモリ１４に書き込まれる。
【００１９】
キー入力部２４の再生ボタン６１を操作して再生を指令すると、ＣＰＵ２１は、フラッシュメモリ１４に書き込まれているビデオデータの１つを読み出し、圧縮／伸張回路１５に供給させる。圧縮／伸張回路１５は、このビデオデータを伸張し、シグナルジェネレータ１６に供給する。シグナルジェネレータ１６は、入力されたビデオデータに同期信号などを付加し、ＶＲＡＭ１７に描画する。そして、このビデオデータを読み出し、Ｄ／Ａ変換回路１８に出力する。Ｄ／Ａ変換回路１８は、入力されたビデオデータをＤ／Ａ変換し、アンプ１９を介して、ＬＣＤ２０に出力し、表示させる。このようにして、ＬＣＤ２０に、フラッシュメモリ１４に記録した画像を表示させることができる。上述したように、この表示画像は、撮影レンズ１を介して、時々刻々と変化する画像をモニタしている場合と異なり、より正確な処理を行って取り込んだ画像であるので、被写体をモニタしている場合の画像に較べて、よりきれいな画像を見ることができる。
【００２０】
次に、図３のフローチャートを参照して、各画像毎に転送情報（外部機器に画像を転送するか否かを指定する情報）を登録する処理について説明する。最初に、ステップＳ１において、使用者は、再生ボタン６１をオンする。このとき、ＣＰＵ２１は、ステップＳ２において、フラッシュメモリ１４に記憶されている最新の画像を読み出し、ＬＣＤ２０に表示させる。次に、ステップＳ３において、使用者はモードボタン６５をオンする。このとき、ＣＰＵ２１は、ステップＳ４において、ＬＣＤ２０に、図４に示すようなメニューを表示させる。
【００２１】
図４に示すように、このメニューには、転送(TRANSMISSION)、９枚表示、および４枚表示の文字が表示されている。さらにこのメニューには、カーソルも表示されている。各画像に転送情報を付加する処理を行う場合には、使用者は、ステップＳ５においてアップダウンキー６３を操作することで、転送(TRANSMISSION)の上にカーソルを移動させる。なお、この実施の形態の場合、アップダウンキー６３のうち、アップキー（＋のマークのキー）を操作すると、カーソルは上方向に移動し、ダウンキー（−のマークのキー）を操作すると、下方向に移動する。
【００２２】
なお、９枚表示または４枚表示が選択された場合には、再生モード時において、ＬＣＤ２０に、９枚の画像または４枚の画像が、同時に小さい画面に分割されて表示されるようになる。
【００２３】
ステップＳ５において、転送(TRANSMISSION)の位置にカーソルを移動させた後、使用者がレリーズボタン６６を操作すると、その選択が確定され、ＣＰＵ２１は、ステップＳ６において、図５に示すような転送登録画面をＬＣＤ２０に表示させる。すなわち、この転送登録画面においては、画面中央に、フラッシュメモリ１４に記憶されている撮像画像のうち、最新の撮像画像が縮小されて、その番号（いまの場合３）とともに表示される。そして、その左下には、「転送」の文字が、そしてその右側には、「非転送」の文字が、それぞれ表示される。
【００２４】
次に、ステップＳ７（付加手段）に進み、使用者は、いま表示されている画像をパーソナルコンピュータ３１に転送するか否かを選択、登録する処理を実行する。すなわち、図５に示すように、転送登録画面上では、「転送」または「非転送」の文字の上にカーソルが表示されており、使用者は、このカーソルを「転送」または「非転送」のいずれかの位置に移動させることで、いま表示されている画像を転送するか否かを選択、登録する。なお、このカーソルは、レリーズボタン６６を操作する度に、そのとき表示されている位置と反対の位置に移動される。例えば、「転送」の文字の上にカーソルが位置する状態において、レリーズボタン６６を操作すれば、「非転送」の文字の上にカーソルが移動する。逆に、「非転送」の文字の上にカーソルが位置する状態において、レリーズボタン６６を操作すると、カーソルは「転送」の文字の上に移動する。
【００２５】
いま表示されている画像についての転送情報の選択、登録処理が終了したとき、次にステップＳ８に進み、使用者は、いま表示されている画像が、最後の画像であるか否かを判定する。最後の画像でなければ、ステップＳ９に進み、画像を変更する処理を行う。すなわち、アップダウンキー６３を操作し、転送登録画面表示中の再生撮像画像を、次の再生撮像画像に変更させる。例えば、いま表示されているのは、最新の画像であり、その画像の番号は３であるから、アップダウンキー６３のうちの「−」のキーを操作すると、番号２の画像が表示される。そこで、使用者は、再びステップＳ７において、カーソルを移動することで、転送または非転送の転送情報を付加する。
【００２６】
以上のようにして、既にフラッシュメモリ１４に登録されている全ての画像に対して、転送または非転送の選択、登録が行われたとき、ステップＳ１０に進み、使用者は、モードボタン６５を操作する。すると、ステップＳ１１に進み、ＣＰＵ２１は、転送登録モードを解除し、再生モード状態に移行させる。従って、最新の撮像画像がフラッシュメモリ１４から読み出され、ＬＣＤ２０に表示された状態に戻る。
【００２７】
このように、転送または非転送の転送情報を各撮像画像毎に選択、登録すると、フラッシュメモリ１４（転送情報記憶手段）の管理テーブルには、例えば、図６に示すような転送または非転送を示すフラグが登録される。図６の表示例においては、番号１の撮像画像には、転送（論理１）のフラグが登録され、番号２の撮像画像には、非転送（番号０）のフラグが登録され、番号３の撮像画像には、転送のフラグが登録されている。
【００２８】
なお、以上の転送登録処理が行われない場合には、撮像された画像は、全てデフォルトとして、転送の転送情報が付加されるようになされている。
【００２９】
使用者は、以上のようにして、転送登録処理を行った後、各画像毎の転送情報登録状況を、図７のフローチャートに示すような処理を行うことで確認することができる。
【００３０】
すなわち、最初にステップＳ３１（転送情報読み出し手段）において、使用者は、再生ボタン６１を操作する。このとき、ステップＳ３２（転送情報読み出し手段）において、ＣＰＵ２１は、フラッシュメモリ１４に記録されている最新の撮像画像を、例えば、図８に示すように表示させる。図８に示すように、画面の右上には、この撮像画像の番号（図８の表示例の場合３）が表示され、左下には、その撮像画像が転送として登録されているか否かを表す文字が表示される。図８の表示例の場合、番号３の撮像画像は、転送する画像として登録されているので、「転送」の文字が表示されている。非転送として登録されている場合には、「非転送」の文字が表示される（あるいは、何も表示しないようにしてもよい）。
【００３１】
使用者は、この登録状況を示す文字（図８の場合、番号３と転送の文字）を消去させたい場合、ディスプレイボタン６４を操作する。ＣＰＵ２１は、ディスプレイボタン６４が操作されたとき、この番号３と転送（または非転送）の文字を消去させる。逆に、この番号と転送または非転送の文字が表示されていない状態において、これらを表示させたい場合にも、使用者は、ディスプレイボタン６４を操作する。このときＣＰＵ２１は、番号と転送または非転送の文字を撮像画像に重畳して表示させる。
【００３２】
そこで、ステップＳ３３において、ＣＰＵ２１は、ディスプレイボタン６４が操作されたか否かを判定し、操作された場合には、ステップＳ３４に進み、転送または非転送の文字と番号を、まだ表示されていなければ表示させ、既に表示されていれば消去させる。ステップＳ３３において、ディスプレイボタン６４が操作されていないと判定された場合には、ステップＳ３４の処理はスキップされる。
【００３３】
次に、ステップＳ３５に進み、使用者は、いま表示されている画像を変更するか否かを判定する。画像を変更する場合には、アップダウンキー６３を操作する。このアップダウンキー６３を操作したとき、ＣＰＵ２１は、ステップＳ３７に進み、表示画像を変更する処理を行う。例えば、図８に示すように、番号３の撮像画像が表示されている状態において、アップダウンキー６３のうち、「−」のボタンを操作すると、番号２の撮像画像が表示される。このとき、図６に示すように、番号２の撮像画像は、非転送として登録されているので、画面の左下には、非転送の文字が表示され、画面の右上には、番号２が表示される。
【００３４】
ステップＳ３５において、画像を変更する必要がないと判定された場合、処理は終了される。
【００３５】
以上のようにして、転送情報が各撮像画像毎に登録された後、パーソナルコンピュータ３１に撮像画像を転送する処理について、図９のフローチャートを参照して説明する。
【００３６】
最初にステップＳ５１において、使用者は、パーソナルコンピュータ３１を操作して、撮像画像の転送を指令する。この指令は、Ｉ／Ｏポート２５を介してＣＰＵ２１に入力される。ＣＰＵ２１は、この指令が入力されてきたとき、フラッシュメモリ１４に記憶されている管理テーブル（図６）を参照して、最初の１つ（例えば番号１）の撮像画像を選択する。そして、ステップＳ５３（制御手段）に進み、その番号の撮像画像の転送フラグがオンされているか否か（論理１であるか否か）を判定する。図６に示すように、例えば、番号１の転送フラグは論理１とされている。従って、この場合には、ステップＳ５４（制御手段）に進み、ＣＰＵ２１は、番号１の画像データをフラッシュメモリ１４から読み出し、Ｉ／Ｏポート２５を介して、パーソナルコンピュータ３１に画像データＰ１を転送させる。
【００３７】
次に、ステップＳ５５（履歴記憶手段）に進み、ＣＰＵ２１は、番号１の撮像画像に対して、転送済フラグを設定させる。すなわち、図６に示すように、フラッシュメモリ１４（履歴記憶手段）の管理テーブル上において、番号１の転送済フラグとして、論理１を書き込む。そして、さらにステップＳ５６に進み、転送フラグをオフとさせる。すなわち、番号１の転送フラグを論理０に書き換える処理を行う。
【００３８】
次に、ステップＳ５７に進み、フラッシュメモリ１４に記憶されている全ての撮像画像の処理を終了したか否かを判定し、まだ処理していない撮像画像が残っている場合には、ステップＳ５２に戻り、次の撮像画像、例えば番号２の撮像画像を選択する。そして、ステップＳ５３に進み、番号２の撮像画像の転送フラグがオンであるか否かが判定される。図６に示すように、番号２の撮像画像の転送フラグは論理０とされているので、ステップＳ５４乃至Ｓ５６の処理はスキップされる。すなわち、番号２の撮像画像は転送されない。
【００３９】
以上のようにして、管理テーブルに登録されている全ての撮像画像についての転送処理が終了したと、ステップＳ５７において判定された場合、処理が終了される。
【００４０】
なお、以上のようにして、転送が行われると、管理テーブルに、その履歴が登録されるので、例えば、図３のステップＳ５（履歴読み出し手段）において転送(TRANSMISSION)が選択され、ステップＳ６において、転送登録画面が表示されたとき、図５に示すように、画面の右上に「転送済」の文字が表示される。これにより、使用者は、その撮像画像が、既にパーソナルコンピュータに転送したことがあるか否かを認識することができる。
【００４１】
以上のようにして、一度でもパーソナルコンピュータ３１に画像を転送すると、その転送フラグは、図９のステップＳ５６でオフされるため、一度パーソナルコンピュータ３１に転送した撮像画像を再び重複して転送するようなことが防止される。但し、もちろん、その撮像画像を再度転送したい場合には、図３のステップＳ７に示す選択処理で、再び、カーソルを「転送」の方向に移動させるようにすればよい。
【００４２】
なお、上記実施の形態においては、カーソルを点線で示すようにしたが、実線で示したり、所定の領域を、他の領域と異なる色や明るさで表示するようにしてもよいことはもちろんである。また、転送、非転送などの文字も、他の文字としたり、記号とすることも可能である。
【００４３】
さらに、上記実施の形態においては、パーソナルコンピュータ３１からの指令に対応して、撮像画像データを転送するようにしたが、デジタルスチルカメラ側において、所定の操作をすることで、パーソナルコンピュータ３１側に、撮像画像を転送するようにすることも可能である。
【００４４】
なお、上記したような処理を行うコンピュータプログラムをユーザに提供する記録媒体としては、磁気ディスク、CD-ROM、固体メモリなどの記録媒体の他、ネットワーク、衛星などの通信媒体を利用することができる。
【００４５】
図１０は、デジタルスチルカメラ１００に付随しているフロッピディスク１０１に、このような処理を行うコンピュータプログラムを記録しておき、ユーザに提供し、ユーザが、このフロッピディスク１０１をパーソナルコンピュータ２００に装着し、インストールして、デジタルスチルカメラ１００を制御する様子を表している。
【００４６】
【発明の効果】
以上の如く、請求項１に記載のデジタルスチルカメラ、および請求項５に記載の画像転送方法によれば、転送情報を付加し、この転送情報に対応して、画像の外部機器への転送を制御するようにしたので、画像を簡単かつ確実に、外部機器に転送することが可能となる。
【図面の簡単な説明】
【図１】本発明のデジタルスチルカメラの構成例を示すブロック図である。
【図２】図１のキー入力部の構成例を示す図である。
【図３】図１のデジタルスチルカメラの転送登録処理を説明するフローチャートである。
【図４】図３のステップＳ４におけるメニュー表示例を示す図である。
【図５】図３のステップＳ６における転送登録画面の表示例を示す図である。
【図６】管理テーブルの例を示す図である。
【図７】図１のデジタルスチルカメラにおける登録確認処理を説明するフローチャートである。
【図８】図７のステップＳ３２における表示例を示す図である。
【図９】図１のデジタルスチルカメラの転送処理を説明するフローチャートである。
【図１０】デジタルスチルカメラを制御する例を示す図である。
【符号の説明】
１  撮影レンズ
２  ＣＣＤ
１２  タイミングジェネレータ
１４  フラッシュメモリ
１５  圧縮／伸長回路
１６  シグナルジェネレータ
１７  ＶＲＡＭ
２０  ＬＣＤ
２１  ＣＰＵ
２２  ＲＯＭ
２３  ＲＡＭ
２４  キー入力部
３１  パーソナルコンピュータ
４１  レンズブロック
４２  カメラ本体
６１  再生ボタン
６２  記録ボタン
６３  アップダウンキー
６４  ディスプレイボタン
６５  モードボタン
６６  レリーズボタン
【図１】
0003867181.tif 000002
【図２】
0003867181.tif 000003
【図３】
0003867181.tif 000004
【図４】
0003867181.tif 000005
【図５】
0003867181.tif 000006
【図６】
0003867181.tif 000007
【図７】
0003867181.tif 000008
【図８】
0003867181.tif 000009
【図９】
0003867181.tif 000010
【図１０】
0003867181.tif 000011